(57)【要約】【課題】画像信号供給装置において、パワーオン状態のままにして使用されていても、ユーザによる視聴を妨げることなく、ファームウェアをアップデートできるようにする。【解決手段】画像信号供給装置は、アップデート開始時刻になったときに、画像信号供給装置がパワーオフ状態であれば（＃１でＹＥＳ）、ファームウェアのアップデートを実行する（＃２）。また、画像信号供給装置は、アップデート開始時刻になったときに、画像信号供給装置がパワーオン状態であれば（＃１でＮＯ）、画像表示装置に、＜Give Device Power Status＞メッセージを送信し（＃３）、これに対して画像表示装置から返信された＜Report Power Status＞メッセージに基いて、画像表示装置がパワーオフ状態であるか否かを判定し（＃５）、画像表示装置がパワーオフ状態であれば（＃５でＹＥＳ）、ファームウェアのアップデートを実行する（＃２）。【選択図】図５
2012049741.tif 000002
【特許請求の範囲】
【請求項１】
供給された画像信号による画像をディスプレイに表示する画像表示装置に外部機器として接続して使用され、画像信号生成手段により生成した画像信号を前記画像表示装置に供給する画像信号供給装置において、
放送電波の形態で配信されるファームウェア又はインターネットを介して配信されるファームウェアを受信して、ファームウェアをアップデートするアップデート手段を備え、
前記アップデート手段は、
本装置の電力供給状態が前記画像信号生成手段に電力を供給しているパワーオン状態であって、前記画像表示装置の電力供給状態が前記ディスプレイに電力を供給しているパワーオン状態であるときには、ファームウェアのアップデートを開始せず、
本装置の電力供給状態が前記画像信号生成手段に電力を供給していないパワーオフ状態であるとき、及び、本装置の電力供給状態がパワーオン状態であって、前記画像表示装置の電力供給状態が前記ディスプレイに電力を供給していないパワーオフ状態であるときに、ファームウェアのアップデートを開始する、
ことを特徴とする画像信号供給装置。
【請求項２】
前記アップデート手段は、
予め定められたアップデート開始時刻になったときに、本装置の電力供給状態がパワーオン状態であるかパワーオフ状態であるかを判定すると共に、前記画像表示装置の電力供給状態がパワーオン状態であるかパワーオフ状態であるかを判定し、
この判定の結果、本装置の電力供給状態がパワーオフ状態であるとき、及び、本装置の電力供給状態がパワーオン状態であって、前記画像表示装置の電力供給状態がパワーオフ状態であるときに、ファームウェアのアップデートを開始する、
ことを特徴とする請求項１に記載の画像信号供給装置。
【請求項３】
前記画像表示装置は、ＨＤＭＩ（High Definition Multimedia Interface）規格のＣＥＣ（Consumer Electronics Control）メッセージを送受信する機能を有しており、電力供給状態を知らせることを指令するＣＥＣメッセージである＜Give Device Power Status＞メッセージを受信すると、電力供給状態を示すＣＥＣメッセージである＜Report Power Status＞メッセージを返信し、
前記アップデート手段は、前記画像表示装置に前記＜Give Device Power Status＞メッセージを送信し、これに対して前記画像表示装置から返信された前記＜Report Power Status＞メッセージに示されている電力供給状態に基いて、前記画像表示装置の電力供給状態がパワーオン状態であるかパワーオフ状態であるかを判定する、
ことを特徴とする請求項２に記載の画像信号供給装置。
【発明の詳細な説明】
【技術分野】
【０００１】
本発明は、供給された画像信号による画像を表示する画像表示装置に外部装置として接続され、画像表示装置に画像信号を供給する画像信号供給装置に関するものである。
【背景技術】
【０００２】
従来から、テレビジョン受像機などの画像表示装置に外部機器として接続して使用されるＤＶＤプレーヤやＳＴＢなどの画像信号供給装置がある。このような画像信号供給装置は、自身で生成した画像信号（ＤＶＤプレーヤであれば、ＤＶＤから読取った記録データから生成した画像信号、ＳＴＢであれば、テレビジョン放送局から受信したテレビジョン信号から生成した画像信号）を画像表示装置に供給することにより、その画像信号による画像を画像表示装置で表示することができるようになっている。また、このような画像信号供給装置は、画像信号供給装置の動作を制御するためのファームウェアを記憶しており、そのファームウェアに基いて動作するようになっている。
【０００３】
このような画像信号供給装置において、ファームウェアをアップデートするアップデート機能を有するものがある。アップデート機能を有する画像信号供給装置は、テレビジョン放送局から放送電波の形態で配信される（テレビジョン信号に含まれた形態で配信される）ファームウェア又はインターネットを介して配信されるファームウェアを受信して、ファームウェアをアップデートするようになっている。すなわち、アップデート機能を有する画像信号供給装置は、放送電波の形態で配信される最新のファームウェア又はインターネットを介して配信される最新のファームウェアを受信すると、そのときに（最新のファームウェアを受信したときに）、ファームウェアのアップデートを実行するようになっている。
【０００４】
このようなアップデート機能を有する画像信号供給装置では、ファームウェアのアップデート時に、画像表示装置に画像信号を供給できなかったり、ファームウェアのアップデート後に、再起動を強要される。このため、画像信号供給装置から供給する画像信号による画像を画像表示装置で表示しているときに、ファームウェアのアップデートが実行されると、ユーザは、ファームウェアのアップデートが完了するまで、画像信号供給装置から供給する画像信号による画像を視聴できなくなったり、ファームウェアのアップデートの完了後の再起動時に、画像信号供給装置から供給する画像信号による画像を視聴できなくなる。つまり、ユーザは、ファームウェアのアップデートのために、視聴が妨げられることになり、不快になる。
【０００５】
この対策として、アップデート機能を有する画像信号供給装置において、アップデート開始時刻（ファームウェアをアップデートを開始してもよい時刻）をユーザが指定できるようにしたものがある。この画像信号供給装置では、アップデート開始時刻をユーザが予め指定しておくことにより、その指定した時刻に最新のファームウェアを受信すると、そのときにファームウェアのアップデートが実行される。このような画像信号供給装置によれば、ユーザがアップデート開始時刻として視聴の可能性の少ない時刻を指定しておくことにより、ユーザは、視聴が妨げられる確率が減る。しかしながら、アップデート開始時刻にユーザが画像信号供給装置から供給する画像信号による画像を画像表示装置で視聴することもあり、この場合には、やはり、ユーザは、視聴が妨げられることになる。
【０００６】
そこで、アップデート開始時刻に自身（画像信号供給装置）がパワーオン状態になっているときには、ファームウェアのアップデートを実行しないようにした画像信号供給装置がある。この画像信号供給装置では、アップデート開始時刻に自身がパワーオン状態になっていると、自身から供給する画像信号による画像がユーザにより視聴されていると判断されて、ファームウェアのアップデートが実行されず、アップデート開始時刻に自身がパワーオフ状態になっているときにのみ、ファームウェアのアップデートが実行される。
【０００７】
一方、デジタル放送受信装置は、放送波からネットワーク対応機器のソフトウェアをダウンロードし、ネットワーク対応機器は、デジタル放送受信装置からソフトウェアを取得してソフトウェアを更新するようにしたシステムが知られている（例えば特許文献１参照）。また、デジタルテレビは、放送信号からファームウェアを受信し、そのファームウェアのバージョンアップ情報からバージョンアップ対象機器を決定し、バージョンアップ対象機器がＤＶＤレコーダである場合には、そのファームウェアをＤＶＤレコーダに送信し、ＤＶＤレコーダは、デジタルテレビから送信されたファームウェアにバージョンアップするようにしたシステムが知られている（例えば特許文献２参照）。一方、録画予約されている場合に更新を実行する旨の設定がされている場合には、録画予約されている時間帯であっても、ファームウェアを更新し、録画予約されている場合に更新を実行しない旨の設定がされている場合には、録画予約されている時間帯には、ファームウェアを更新しないようにした放送記録装置が知られている（例えば特許文献３参照）。
【先行技術文献】
【特許文献】
【０００８】
【特許文献１】特開２００９−１７１３７１号公報
【特許文献２】特開２００３−３１６５９６号公報
【特許文献３】特開２００９−７７０８８号公報
【発明の概要】
【発明が解決しようとする課題】
【０００９】
ところで、画像信号供給装置から供給する画像信号による画像が画像表示装置で表示されるのは、画像表示装置がパワーオン状態になっていると共に、画像信号供給装置から画像表示装置に画像信号を供給しているときである。画像表示装置がパワーオフ状態になっているときには、画像信号供給装置から画像表示装置に画像信号を供給していても、画像信号供給装置から供給する画像信号による画像は、画像表示装置で表示されない。従って、画像信号供給装置をパワーオン状態のままにしておいても、画像表示装置をパワーオン状態とパワーオフ状態とに切り換えることにより、画像信号供給装置から供給する画像信号による画像を視聴できる状態と視聴できない状態とに切り換えることができる。このようなことから、画像信号供給装置をパワーオン状態のままにしておいて、画像表示装置をパワーオン状態とパワーオフ状態とに切り換えて、使用されることも考えられる。
【００１０】
上述した従来の画像信号供給装置（アップデート開始時刻に自身がパワーオン状態になっているときには、ファームウェアのアップデートを実行しない画像信号供給装置）においては、自身がパワーオン状態のままにして使用されていると、ファームウェアが全くアップデートされないという問題が発生する。なお、上述した特許文献１乃至特許文献３に開示の内容を適用したとしても、上記の問題を解決することはできない。
【００１１】
本発明は、上記課題を解決するためになされたものであり、パワーオン状態のままにして使用されていても、ユーザによる視聴を妨げることなく、ファームウェアをアップデートすることができる画像信号供給装置を提供することを目的とする。
【課題を解決するための手段】
【００１２】
上記目的を達成するために請求項１の発明は、供給された画像信号による画像をディスプレイに表示する画像表示装置に外部機器として接続して使用され、画像信号生成手段により生成した画像信号を画像表示装置に供給する画像信号供給装置において、放送電波の形態で配信されるファームウェア又はインターネットを介して配信されるファームウェアを受信して、ファームウェアをアップデートするアップデート手段を備え、アップデート手段は、本装置の電力供給状態が画像信号生成手段に電力を供給しているパワーオン状態であって、画像表示装置の電力供給状態がディスプレイに電力を供給しているパワーオン状態であるときには、ファームウェアのアップデートを開始せず、本装置の電力供給状態が画像信号生成手段に電力を供給していないパワーオフ状態であるとき、及び、本装置の電力供給状態がパワーオン状態であって、画像表示装置の電力供給状態がディスプレイに電力を供給していないパワーオフ状態であるときに、ファームウェアのアップデートを開始するものである。
【００１３】
請求項２の発明は、請求項１に記載の画像信号供給装置において、アップデート手段は、予め定められたアップデート開始時刻になったときに、本装置の電力供給状態がパワーオン状態であるかパワーオフ状態であるかを判定すると共に、画像表示装置の電力供給状態がパワーオン状態であるかパワーオフ状態であるかを判定し、この判定の結果、本装置の電力供給状態がパワーオフ状態であるとき、及び、本装置の電力供給状態がパワーオン状態であって、画像表示装置の電力供給状態がパワーオフ状態であるときに、ファームウェアのアップデートを開始するものである。
【００１４】
請求項３の発明は、請求項２に記載の画像信号供給装置において、画像表示装置は、ＨＤＭＩ（High Definition Multimedia Interface）規格のＣＥＣ（Consumer Electronics Control）メッセージを送受信する機能を有しており、電力供給状態を知らせることを指令するＣＥＣメッセージである＜Give Device Power Status＞メッセージを受信すると、電力供給状態を示すＣＥＣメッセージである＜Report Power Status＞メッセージを返信し、アップデート手段は、画像表示装置に＜Give Device Power Status＞メッセージを送信し、これに対して画像表示装置から返信された＜Report Power Status＞メッセージに示されている電力供給状態に基いて、画像表示装置の電力供給状態がパワーオン状態であるかパワーオフ状態であるかを判定するものである。
【発明の効果】
【００１５】
請求項１乃至請求項３の発明によれば、本装置がパワーオン状態であっても、画像表示装置がパワーオフ状態であれば、ファームウェアのアップデートが行われる。本装置がパワーオン状態であって、画像表示装置がパワーオフ状態であるときは、本装置から供給する画像信号による画像が画像表示装置で表示されておらず、本装置から供給する画像信号による画像がユーザに視聴されていないときである。従って、本装置がパワーオン状態のままにして使用されていても、ユーザによる視聴を妨げることなく、ファームウェアをアップデートして、ファームウェアを最新の状態に保つことができる。
【図面の簡単な説明】
【００１６】
【図１】本発明の一実施形態に係る画像信号供給装置と画像表示装置との接続構成例を示す図。
【図２】同画像信号供給装置が接続される画像表示装置の電気的ブロック構成図。
【図３】同画像信号供給装置の電気的ブロック構成図。
【図４】同画像信号供給装置の電力供給状態及び画像表示装置の電力供給状態と、ファームウェアのアップデートを実行するか否かとの対応関係を示す図。
【図５】同画像信号供給装置の動作を示すフローチャート。
【発明を実施するための形態】
【００１７】
以下、本発明を具体化した実施形態による画像信号供給装置について図面を参照して説明する。図１は、本実施形態による画像信号供給装置と画像表示装置との接続構成例を示す。
【００１８】
画像信号供給装置１は、画像表示装置２に外部機器として接続して使用され、画像信号及び音声信号を生成して、その生成した画像信号及び音声信号を画像表示装置２に供給する装置である。本実施形態では、画像信号供給装置１は、ＳＴＢとＤＶＤプレーヤを兼ね備えた装置である。すなわち、画像信号供給装置１は、テレビジョン放送局から配信されるテレビジョン信号を受信し、受信したテレビジョン信号から画像信号及び音声信号を生成して、その生成した画像信号及び音声信号を供給する機能、及びＤＶＤやＢＤ（ブルーレイディスク）等の光ディスクから記録データを読取り、読取った記録データから画像信号及び音声信号を生成して、その生成した画像信号及び音声信号を供給する機能を有している。
【００１９】
画像表示装置２は、画像信号供給装置１から供給された画像信号による画像を表示する装置である。本実施形態では、画像表示装置２は、テレビジョン受像機である。すなわち、画像表示装置２は、テレビジョン放送局から配信されるテレビジョン信号を受信し、受信したテレビジョン信号から画像信号及び音声信号を生成して、その生成した画像信号による画像を表示すると共にテレビジョン信号から生成した音声信号による音声を出力する機能、及び画像信号供給装置１から供給された画像信号による画像を表示すると共に画像信号供給装置１から供給された音声信号による音声を出力する機能を有している。
【００２０】
画像信号供給装置１及び画像表示装置２は、放送局から放送電波の形態で配信されるテレビジョン信号を受信するためのアンテナ３に接続されている。また、画像信号供給装置１及び画像表示装置２は、ＨＤＭＩ（High Definition Multimedia Interface）規格のＣＥＣ（Consumer Electronics Control）メッセージを送受信する機能を有しており、画像信号供給装置１と画像表示装置２とは、ＨＤＭＩケーブル４を介して相互に接続されている。図示の例では、１台の画像表示装置２に１台の画像信号供給装置１が接続されている。また、画像信号供給装置１は、通信回線５を介してインターネット６に接続されている。
【００２１】
画像信号供給装置１は、画像信号供給装置１の動作を制御するためのファームウェアを記憶しており、そのファームウェアに基いて動作するようになっている。この画像信号供給装置１は、テレビジョン放送局から放送電波の形態で配信される（テレビジョン信号に含まれた形態で配信される）ファームウェア又はインターネット６を介して配信されるファームウェアを受信して、ファームウェアをアップデートする機能を有している。
【００２２】
図２は、画像表示装置２の電気的ブロック構成を示す。画像表示装置２は、テレビジョン受信部２１と、ＨＤＭＩ送受信部２２と、出力切換部２３と、ディスプレイ２４と、スピーカ２５と、リモコン２６と、リモコン受信部２７と、画像表示装置２の動作を制御する制御部２８等を備える。制御部２８は、画像表示装置２の動作を制御するためのファームウェアを記憶しており、そのファームウェアに基いて、画像表示装置２の各種動作を制御する。
【００２３】
テレビジョン受信部２１は、チューナ２１ａとデコーダ２１ｂとを有する。チューナ２１ａは、制御部２８による制御のもと、受信周波数がテレビジョン信号の放送電波の周波数（放送チャンネル）に設定されることにより、その設定された周波数（放送チャンネル）の電波の形態で放送されているテレビジョン信号をアンテナ３を介して受信する。デコーダ２１ｂは、制御部２８による制御のもと、チューナ２１ａにより受信したテレビジョン信号を復調、復号処理して、チューナ２１ａにより受信したテレビジョン信号から画像信号及び音声信号を生成する。デコーダ２１ｂにより生成された画像信号及び音声信号は、出力切換部２３に与えられる。
【００２４】
ＨＤＭＩ送受信部２２は、制御部２８による制御のもと、ＨＤＭＩケーブル４を介して画像信号供給装置１との間で各種信号を送受信する。すなわち、ＨＤＭＩ送受信部２２は、制御部２８による制御のもと、制御部２８から与えられたＣＥＣメッセージをＨＤＭＩケーブル４を介して画像信号供給装置１に送信する。また、ＨＤＭＩ送受信部２２は、制御部２８による制御のもと、ＨＤＭＩケーブル４を介して画像信号、音声信号、及びＣＥＣメッセージを受信する。ＨＤＭＩ送受信部２２により受信した画像信号及び音声信号は、出力切換部２３に与えられる。また、ＨＤＭＩ送受信部２２により受信したＣＥＣメッセージは、制御部２８に与えられる。
【００２５】
出力切換部２３は、制御部２８による制御のもと、ディスプレイ２４及びスピーカ２５への画像信号及び音声信号の供給経路を切換える。すなわち、出力切換部２３は、制御部２８による制御のもと、デコーダ２１ｂから与えられた画像信号及び音声信号と、ＨＤＭＩ送受信部２２から与えられた画像信号及び音声信号の、いずれかを選択的に出力する。出力切換部２３から出力された画像信号及び音声信号は、ディスプレイ２４及びスピーカ２５に供給される。
【００２６】
ディスプレイ２４は、制御部２８による制御のもと、出力切換部２３から供給された画像信号による画像を表示する。スピーカ２５は、制御部２８による制御のもと、出力切換部２３から供給された音声信号による音声を出力する。
【００２７】
リモコン２６は、画像表示装置２及び画像信号供給装置１の各種動作を指示するためにユーザにより操作され、その操作内容を示す赤外線による操作信号を送信する。リモコン受信部２７は、リモコン２６から送信された操作信号を受信して、リモコン２６の操作内容を示すリモコン受信信号を出力する。リモコン受信部２７から出力されたリモコン受信信号は、制御部２８に与えられる。
【００２８】
制御部２８は、画像表示装置２の電力供給状態を制御する。すなわち、制御部２８は、画像表示装置２各部への電力の供給／遮断を制御することにより、画像表示装置２の電力供給状態をパワーオン状態とパワーオフ状態とに切り替える（パワーオン状態とパワーオフ状態のいずれかの状態にする）制御を行う。ここで、画像表示装置２の電力供給状態におけるパワーオン状態とは、ディスプレイ２４による画像の表示及びスピーカ２５による音声の出力が行われる状態であって、テレビジョン受信部２１（チューナ２１ａ及びデコーダ２１ｂ）、出力切換部２３、ディスプレイ２４、及びスピーカ２５に電力を供給している状態である。また、画像表示装置２の電力供給状態におけるパワーオフ状態とは、いわゆるスタンバイ状態であり、ディスプレイ２４による画像の表示及びスピーカ２５による音声の出力が行われない状態であって、テレビジョン受信部２１、出力切換部２３、ディスプレイ２４、及びスピーカ２５に電力を供給していない状態である。なお、ＨＤＭＩ送受信部２２、リモコン受信部２７、及び制御部２８には、常に電力が供給されており、画像信号供給装置２の電力供給状態がパワーオフ状態のときにも、ＨＤＭＩ送受信部２２、リモコン受信部２７、及び制御部２８は動作している。
【００２９】
また、制御部２８は、テレビジョン信号の受信を制御する。すなわち、制御部２８は、チューナ２１ａの受信周波数をテレビジョン信号の放送チャンネルの周波数に設定することにより、その放送チャンネルのテレビジョン信号をチューナ２１ａによって受信させる。チューナ２１ａがテレビジョン信号を受信することにより、そのテレビジョン信号による画像信号及び音声信号がデコーダ２１ｂによって生成される。
【００３０】
また、制御部２８は、画像表示装置２の画像表示動作状態を制御する。すなわち、制御部２８は、画像表示装置２の電力供給状態がパワーオン状態になっているときにおいて、出力切換部２３における画像信号及び音声信号の供給経路の切換えを制御することにより、画像表示装置２の画像表示動作状態を自身画像表示状態と外部画像表示状態とに切り替える（自身画像表示状態と外部画像表示状態のいずれかの状態にする）制御を行う。ここで、自身画像表示状態とは、テレビジョン受信部２１により生成した画像信号による画像をディスプレイ２４に表示すると共に、テレビジョン受信部２１により生成した音声信号による音声をスピーカ２５から出力する状態である。また、外部画像表示状態とは、画像信号供給装置１から供給された画像信号による画像をディスプレイ２４に表示すると共に、画像信号供給装置１から供給された音声信号による音声をスピーカ２５から出力する状態である。
【００３１】
自身画像表示状態になっているときに、テレビジョン受信部２１により画像信号及び音声信号を生成することにより、テレビジョン受信部２１により生成した画像信号及び音声信号が出力切換部２３を経由してディスプレイ２４及びスピーカ２５に供給されて、テレビジョン受信部２１により生成した画像信号による画像がディスプレイ２４に表示されると共に、テレビジョン受信部２１により生成した音声信号による音声がスピーカ２５から出力される。また、外部画像表示状態になっているときに、画像信号供給装置１から画像信号及び音声信号が供給されることにより、画像信号供給装置１から供給された画像信号及び音声信号がＨＤＭＩ送受信部２２及び出力切換部２３を経由してディスプレイ２４及びスピーカ２５に供給されて、画像信号供給装置１から供給された画像信号による画像がディスプレイ２４に表示されると共に、画像信号供給装置１から供給された音声信号による音声がスピーカ２５から出力される。
【００３２】
また、制御部２８は、画像信号供給装置１との間でＣＥＣメッセージを送受信する。すなわち、制御部２８は、ＣＥＣメッセージをＨＤＭＩ送受信部２２に与えて、そのＣＥＣメッセージをＨＤＭＩ送受信部２２により送信させることによって、ＣＥＣメッセージを画像信号供給装置１に送信する。また、制御部２８は、ＨＤＭＩ送受信部２２により受信したＣＥＣメッセージを取得することにより、画像信号供給装置１からＣＥＣメッセージを受信する。
【００３３】
制御部２８は、リモコン受信部２７から与えられるリモコン受信信号に基いて（すなわち、ユーザによるリモコン２６の操作を受けて）、画像表示装置２の電力供給状態、テレビジョン信号の受信、画像表示動作状態等を制御する。また、制御部２８は、リモコン受信部２７から与えられたリモコン受信信号が画像信号供給装置１の動作を指示するための信号である場合（すなわち、ユーザによるリモコン２６の操作が画像信号供給装置１の動作を指示するための操作である場合）には、その指示内容を示すＣＥＣメッセージを画像信号供給装置１に送信する。
【００３４】
また、制御部２８は、画像信号供給装置１から電力供給状態を知らせることを指令するＣＥＣメッセージである＜Give Device Power Status＞メッセージを受信すると、電力供給状態を示すＣＥＣメッセージである＜Report Power Status＞メッセージを返信（画像信号供給装置１に送信）する。＜Report Power Status＞メッセージの内容は、電力供給状態がパワーオン状態であれば「On」であり、電力供給状態がパワーオフ状態からパワーオン状態に移行中であれば「In Transition Standby to On」であり、電力供給状態がパワーオフ状態であれば「Standby」であり、電力供給状態がパワーオン状態からパワーオフ状態に移行中であれば「In Transition On to Standby」である。
【００３５】
図３は、画像信号供給装置１の電気的ブロック構成を示す。画像信号供給装置１は、テレビジョン受信部（画像信号生成手段）１１と、光ディスクドライブ（画像信号生成手段）１２と、出力切換部１３と、ＨＤＭＩ送受信部１４と、インターネット送受信部１５と、時計１６と、画像信号供給装置１の動作を制御する制御部（アップデート手段）１７等を備える。制御部１７は、画像信号供給装置１の動作を制御するためのファームウェアを記憶しており、そのファームウェアに基いて、画像信号供給装置１の各種動作を制御する。
【００３６】
テレビジョン受信部１１は、チューナ１１ａとデコーダ１１ｂとを有する。チューナ１１ａは、制御部１７による制御のもと、受信周波数がテレビジョン信号の放送電波の周波数（放送チャンネル）に設定されることにより、その設定された周波数（放送チャンネル）の電波の形態で放送されているテレビジョン信号をアンテナ３を介して受信する。デコーダ１１ｂは、制御部１７による制御のもと、チューナ１１ａにより受信したテレビジョン信号を復調、復号処理して、チューナ１１ａにより受信したテレビジョン信号から画像信号及び音声信号を生成し、また、テレビジョン信号に含まれているファームウェアを抽出する。デコーダ１１ｂにより生成された画像信号及び音声信号は、出力切換部１３に与えられる。また、デコーダ１１ｂにより抽出されたファームウェアは、制御部１７に与えられる。
【００３７】
光ディスクドライブ１２は、ＤＶＤ、ＢＤ（ブルーレイディスク）等の光ディスク１０が装着／取外しされるようになっており、制御部１７による制御のもと、光ディスク１０から記録データを読取って、その読取った記録データから画像信号及び音声信号を生成する。光ディスクドライブ１２により生成された画像信号及び音声信号は、出力切換部１３に与えられる。
【００３８】
出力切換部１３は、制御部１７による制御のもと、ＨＤＭＩ送受信部１４への画像信号及び音声信号の供給経路を切換える。すなわち、出力切換部１３は、制御部１７による制御のもと、デコーダ１１ｂから与えられた画像信号及び音声信号と、光ディスクドライブ１２から与えられた画像信号及び音声信号の、いずれかを選択的に出力する。出力切換部１３から出力された画像信号及び音声信号は、ＨＤＭＩ送受信部１４に供給される。
【００３９】
ＨＤＭＩ送受信部１４は、制御部１７による制御のもと、ＨＤＭＩケーブル４を介して画像表示装置２との間で各種信号を送受信する。ＨＤＭＩ送受信部１４は、制御部１７による制御のもと、出力切換部１３から供給された画像信号及び音声信号をＨＤＭＩケーブル４を介して画像表示装置２に送信する。また、ＨＤＭＩ送受信部１４は、制御部１７による制御のもと、制御部１７から与えられたＣＥＣメッセージをＨＤＭＩケーブル４を介して画像表示装置２に送信する。また、ＨＤＭＩ送受信部１４は、制御部１７による制御のもと、ＨＤＭＩケーブル４を介してＣＥＣメッセージを受信する。ＨＤＭＩ送受信部１４により受信したＣＥＣメッセージは、制御部１７に与えられる。
【００４０】
インターネット送受信部１５は、制御部１７による制御のもと、通信回線５を介してインターネット６との間で各種信号を送受信する。インターネット送受信部１５により受信した信号は、制御部１７に与えられる。時計１６は、時間を計測して、現在時刻を示す時刻信号を出力する。
【００４１】
制御部１７は、画像信号供給装置１の電力供給状態を制御する。すなわち、制御部１７は、画像信号供給装置１各部への電力の供給／遮断を制御することにより、画像信号供給装置１の電力供給状態をパワーオン状態とパワーオフ状態とに切り替える（パワーオン状態とパワーオフ状態のいずれかの状態にする）制御を行う。ここで、画像信号供給装置１の電力供給状態におけるパワーオン状態とは、テレビジョン受信部１１による画像信号及び音声信号の生成、及び光ディスクドライブ１２による画像信号及び音声信号の生成が行われ得る状態であって、テレビジョン受信部１１（チューナ１１ａ及びデコーダ１２）、光ディスクドライブ１２、出力切換部１３、及びインターネット送受信部１５に電力を供給している状態である。また、画像信号供給装置１の電力供給状態におけるパワーオフ状態とは、いわゆるスタンバイ状態であり、テレビジョン受信部１１による画像信号及び音声信号の生成、及び光ディスクドライブ１２による画像信号及び音声信号の生成が行われない（従って、画像表示装置２への画像信号の供給が行われない）状態であって、テレビジョン受信部１１、光ディスクドライブ１２、出力切換部１３、及びインターネット送受信部１５に電力を供給していない状態である。なお、ＨＤＭＩ送受信部１４、時計１６、及び制御部１７には、常に電力が供給されており、画像信号供給装置１の電力供給状態がパワーオフ状態のときにも、ＨＤＭＩ送受信部１４、時計１６、及び制御部１７は動作している。
【００４２】
また、制御部１７は、テレビジョン信号の受信を制御する。すなわち、制御部１７は、チューナ１１ａの受信周波数をテレビジョン信号の放送チャンネルの周波数に設定することにより、その放送チャンネルのテレビジョン信号をチューナ１１ａによって受信させる。チューナ１１ａがテレビジョン信号を受信することにより、そのテレビジョン信号による画像信号及び音声信号がデコーダ１１ｂによって生成され、また、そのテレビジョン信号にファームウェアが含まれている場合には、そのファームウェアがデコーダ１１ｂによって抽出される。
【００４３】
また、制御部１７は、光ディスク１０からの記録データの読取りを制御する。すなわち、制御部１７は、光ディスクドライブ１２に読取指令を出力することにより、光ディスク１０に記録されている記録データを光ディスクドライブ１２によって読取らせる。光ディスクドライブ１２が光ディスク１０に記録されている記録データを読取ることにより、その記録データによる画像信号及び音声信号が光ディスクドライブ１２によって生成される。
【００４４】
また、制御部１７は、画像信号供給装置１の画像信号供給状態を制御する。すなわち、制御部１７は、画像信号供給装置１の電力供給状態がパワーオン状態になっているときにおいて、出力切換部１３における画像信号及び音声信号の供給経路の切換えを制御することにより、画像信号供給装置１の画像信号供給状態をテレビジョン画像信号供給状態と光ディスク画像信号供給状態とに切り替える（テレビジョン画像信号供給状態と光ディスク画像信号供給状態のいずれかの状態にする）制御を行う。ここで、テレビジョン画像信号供給状態とは、テレビジョン受信部１１により生成した画像信号及び音声信号を画像表示装置２に供給する状態である。また、光ディスク画像信号供給状態とは、光ディスクドライブ１２により生成した画像信号及び音声信号を画像表示装置２に供給する状態である。
【００４５】
テレビジョン画像信号供給状態になっているときに、テレビジョン受信部１１により画像信号及び音声信号を生成することにより、テレビジョン受信部１１により生成した画像信号及び音声信号が出力切換部１３及びＨＤＭＩ送受信部１４を経由して画像表示装置２に供給される。また、光ディスク画像信号供給状態になっているときに、光ディスクドライブ１２により画像信号及び音声信号を生成することにより、光ディスクドライブ１２により生成した画像信号及び音声信号が出力切換部１３及びＨＤＭＩ送受信部１４を経由して画像表示装置２に供給される。
【００４６】
また、制御部１７は、画像表示装置２との間でＣＥＣメッセージを送受信する。すなわち、制御部１７は、ＣＥＣメッセージをＨＤＭＩ送受信部１４に与えて、そのＣＥＣメッセージをＨＤＭＩ送受信部１４により送信させることによって、ＣＥＣメッセージを画像表示装置２に送信する。また、制御部１７は、ＨＤＭＩ送受信部１４により受信したＣＥＣメッセージを取得することにより、画像表示装置２からＣＥＣメッセージを受信する。
【００４７】
制御部１７は、画像表示装置２から受信した画像信号供給装置１の動作の指示内容を示すＣＥＣメッセージに基いて、画像信号供給装置１の電力供給状態、テレビジョン信号の受信、光ディスク１０からの記録データの読取り、画像信号供給状態等を制御する。
【００４８】
また、制御部１７は、ファームウェアをアップデートする。すなわち、制御部１７は、テレビジョン放送局から放送電波の形態で配信される（テレビジョン信号に含まれた形態で配信される）ファームウェア又はインターネット６を介して配信されるファームウェアを受信して、ファームウェアをアップデートする。つまり、制御部１７は、チューナ１１ａの受信周波数を所定の放送チャンネル（ファームウェアが配信されている放送チャンネル）の周波数に設定し、その放送チャンネルのテレビジョン信号をチューナ１１ａによって受信させて、デコーダ１１ｂにより抽出されたファームウェアを取得することにより、テレビジョン放送局から放送電波の形態で配信されるファームウェアを受信する。あるいは、制御部１７は、インターネット送受信部１５によりインターネット６との間で各種信号を送受信させて、インターネット送受信部１５により受信したファームウェアを取得することにより、インターネット６を介して配信されるファームウェアを受信する。そして、制御部１７は、その取得したファームウェアが新しいバージョンのファームウェアであれば、制御部１７に記憶しているファームウェアを取得したファームウェアに更新（書き換え）することにより、ファームウェアをアップデートする。
【００４９】
制御部１７は、予め定められたアップデート開始時刻になったとき、そのときの画像信号供給装置１の電力供給状態及び画像表示装置２の電力供給状態に基いて、ファームウェアのアップデートを実行するか否かを判断し、ファームウェアのアップデートを実行すると判断した場合に、ファームウェアのアップデートを実行する。
【００５０】
図４は、画像信号供給装置１の電力供給状態及び画像表示装置２の電力供給状態と、ファームウェアのアップデートを実行するか否かとの対応関係を示す。図４に示すように、（１）画像信号供給装置１の電力供給状態がパワーオフ状態であって、画像表示装置２の電力供給状態がパワーオフ状態である場合、（２）画像信号供給装置１の電力供給状態がパワーオフ状態であって、画像表示装置２の電力供給状態がパワーオン状態である場合、及び（３）画像信号供給装置１の電力供給状態がパワーオン状態であって、画像表示装置２の電力供給状態がパワーオフ状態である場合には、ファームウェアのアップデートを実行し、（４）画像信号供給装置１の電力供給状態がパワーオン状態であって、画像表示装置２の電力供給状態がパワーオン状態である場合には、ファームウェアのアップデートを実行しない。
【００５１】
すなわち、画像信号供給装置１の制御部１７は、予め定められたアップデート開始時刻になったときに、画像信号供給装置１の電力供給状態がパワーオン状態であるかパワーオフ状態であるかを判定すると共に、画像表示装置２の電力供給状態がパワーオン状態であるかパワーオフ状態であるかを判定する。そして、制御部１７は、この判定の結果、（Ａ）画像信号供給装置１の電力供給状態がパワーオン状態であって、画像表示装置２の電力供給状態がパワーオン状態であるときには、ファームウェアのアップデートを開始せず、（Ｂ）画像信号供給装置１の電力供給状態がパワーオフ状態であるとき、及び、画像信号供給装置１の電力供給状態がパワーオン状態であって、画像表示装置２の電力供給状態がパワーオフ状態であるときには、ファームウェアのアップデートを開始する。画像信号供給装置１の電力供給状態がパワーオフ状態であるときにファームウェアのアップデートを実行する場合には、制御部１７は、必要な箇所（テレビジョン受信部１１及びインターネット送受信部１５）に一時的に電力を供給する。
【００５２】
ここで、アップデート開始時刻は、予めユーザにより設定された時刻であり、ユーザにより任意の時刻に設定されるようになっている。制御部１７は、時計１６から出力される時刻信号に基いて、現在時刻を判断して、予め定められたアップデート開始時刻になったか否かを判断する。また、制御部１７は、画像表示装置２に＜Give Device Power Status＞メッセージ（電力供給状態を知らせることを指令するＣＥＣメッセージ）を送信し、これに対して画像表示装置２から返信された＜Report Power Status＞メッセージ（電力供給状態を示すＣＥＣメッセージ）に示されている電力供給状態に基いて、画像表示装置２の電力供給状態がパワーオン状態であるかパワーオフ状態であるかを判定する。この判定は、＜Report Power Status＞メッセージの内容が「On」又は「In Transition Standby to On」であれば、画像表示装置２の電力供給状態がパワーオン状態であると判定し、＜Report Power Status＞メッセージの内容が「Standby」又は「In Transition On to Standby」であれば、画像表示装置２の電力供給状態がパワーオフ状態であると判定する。
【００５３】
図５は、画像信号供給装置１の動作フローチャートを示す。予め定められたアップデート開始時刻になったときに、画像信号供給装置１の電力供給状態がパワーオフ状態であれば（＃１でＹＥＳ）、制御部１７は、ファームウェアのアップデートを実行する（＃２）。
【００５４】
一方、予め定められたアップデート開始時刻になったときに、画像信号供給装置１の電力供給状態がパワーオン状態であれば（＃１でＮＯ）、制御部１７は、画像表示装置２に＜Give Device Power Status＞メッセージを送信する（＃３）。その後、＜Give Device Power Status＞メッセージの送信から１５秒以内に、画像表示装置２から＜Report Power Status＞メッセージ（＃３での＜Give Device Power Status＞メッセージの送信に対する返信）を受信すると（＃４でＹＥＳ）、制御部１７は、その受信した＜Report Power Status＞メッセージに示されている電力供給状態に基いて、画像表示装置２の電力供給状態がパワーオフ状態であるか否かを判定する（＃５）。
【００５５】
そして、画像表示装置２の電力供給状態がパワーオフ状態であれば（＃５でＹＥＳ）、制御部１７は、ファームウェアのアップデートを実行する（＃２）。一方、画像表示装置２の電力供給状態がパワーオン状態であれば（＃５でＮＯ）、制御部１７は、ファームウェアのアップデートを実行しない。また、上記＃４において、＜Give Device Power Status＞メッセージの送信から１５秒以内に、画像表示装置２から＜Report Power Status＞メッセージを受信しなかった場合にも（＃４でＮＯ）、制御部１７は、ファームウェアのアップデートを実行しない。
【００５６】
このような構成の画像信号供給装置１によれば、画像信号供給装置１がパワーオン状態であっても、画像表示装置２がパワーオフ状態であれば、ファームウェアのアップデートが行われる。画像信号供給装置１がパワーオン状態であって、画像表示装置２がパワーオフ状態であるときは、画像信号供給装置１から供給する画像信号による画像が画像表示装置２で表示されておらず、画像信号供給装置１から供給する画像信号による画像がユーザに視聴されていないときである。従って、画像信号供給装置１がパワーオン状態のままにして使用されていても、ユーザによる視聴を妨げることなく、ファームウェアをアップデートして、ファームウェアを最新の状態に保つことができる。
【００５７】
なお、本発明は、上記実施形態の構成に限られず、種々の変形が可能である。例えば、画像信号供給装置は、ＳＴＢとＤＶＤプレーヤのいずれか一方の機能を備えたものであってもよい。また、画像表示装置は、テレビジョン受像機としての機能を備えておらず、画像信号供給装置から供給される画像信号による画像を表示する機能のみを備えたものであってもよい。また、複数の画像信号供給装置が画像表示装置に接続されていてもよい。また、画像表示装置がパワーオフ状態のときに限られず、画像表示装置が自身画像表示状態のときに、画像信号供給装置のファームウェアをアップデートするようにしてもよい。画像表示装置が自身画像表示状態のときは、画像信号供給装置から供給する画像信号による画像が画像表示装置で表示されておらず、画像信号供給装置から供給する画像信号による画像がユーザに視聴されていないときである。従って、画像表示装置が自身画像表示状態のときに、ファームウェアのアップデートを実行しても、ユーザによる視聴を妨げることなく、画像信号供給装置のファームウェアをアップデートすることができる。上記実施形態では、画像信号供給装置が、テレビジョン放送局から放送電波の形態で配信されるファームウェアと、インターネットを介して配信されるファームウェアの両方を受信し得る場合の例を示したが、いずれか片方の形態で配信されるファームウェアのみを受信し得るようにしてもよい。
【符号の説明】
【００５８】
１    画像信号供給装置
２    画像表示装置
３    アンテナ
４    ＨＤＭＩケーブル
５    通信回線
６    インターネット
１０    光ディスク
１１    テレビジョン受信部（画像信号生成手段）
１１ａ    チューナ
１１ｂ    デコーダ
１２    光ディスクドライブ（画像信号生成手段）
１３    出力切換部
１４    ＨＤＭＩ送受信部
１５    インターネット送受信部
１６    時計
１７    制御部（アップデート手段）
２１    テレビジョン受信部
２１ａ    チューナ
２１ｂ    デコーダ
２２    ＨＤＭＩ送受信部
２３    出力切換部
２４    ディスプレイ
２５    スピーカ
２６    リモコン
２７    リモコン受信部
２８    制御部
【図１】
2012049741.tif 000003
【図２】
2012049741.tif 000004
【図３】
2012049741.tif 000005
【図４】
2012049741.tif 000006
【図５】
2012049741.tif 000007